(57)【要約】【課題】  周囲の環境の変化の影響を受けにくい超音波厚み測定方法および装置を提供する。【解決手段】  シート状の対象物の一方の表面側に向けて超音波を送信し、他方の表面側からの超音波を受信し、受信強度に基づいて厚みを測定する際に、送信出力を一定に保ちながら、超音波の送信距離と受信距離とを、受信強度が極大となるように調整する。周囲の環境のうち、影響の最も大きい温度の変化に対しても、調整時の温度Ｔ０で受信強度が極大となるように調整することができる。調整時の温度Ｔ０が常温付近であり、厚みの測定を常温付近で行えば、常温付近の範囲内、たとえば２５±２℃程度の範囲内では、受信強度の変化を抑えることが可能である。【選択図】      図１
2005249486.tif 000002
【特許請求の範囲】
【請求項１】
シート状の対象物の一方の表面側に向けて超音波を送信し、他方の表面側からの超音波を受信し、受信強度に基づいて厚みを測定する超音波厚み測定方法において、
送信出力を一定に保ちながら、超音波の送信距離と受信距離とのうちの少なくとも一方を、受信強度が極大となるように調整して、
調整された送信距離および受信距離で、対象物の厚みを測定することを特徴とする超音波厚み測定方法。
【請求項２】
シート状の対象物の厚みを測定する超音波厚み測定装置において、
該対象物の一方の表面側に向けて超音波を送信する送信側変換器を保持し、該一方側表面と該送信側変換器との間の送信距離を調整可能な送信手段と、
該対象物の他方の表面側からの超音波を受信する受信側変換器を保持し、該他方側表面と該受信側変換器との間の受信距離を調整可能な受信手段と、
送信手段および受信手段が臨む該対象物の表面の位置を移動可能な移動手段と、
送信手段および受信手段を制御して、送信出力を一定に保ちながら、送信手段による超音波の送信距離、および受信手段による受信距離を、受信強度が極大となるようにそれぞれ調整し、移動手段を制御して、調整された送信距離および受信距離で、送信手段および受信手段が臨む対象物の表面の位置を移動させて、対象物の厚みを測定するように制御する制御手段とを、
含むことを特徴とする超音波厚み測定装置。
【発明の詳細な説明】
【技術分野】
【０００１】
本発明は、薄いシート材などの厚みを超音波で測定する超音波厚み測定方法および装置に関する。
【背景技術】
【０００２】
従来から、各種フィルムなどの薄いシート材は、種々の分野に広く用いられている。シート材を製造したり、利用したりする際には、厚みの管理が重要である。シート材の厚みは、機械的な方法や光学的な方法で測定されている。機械的な方法では、シート材の両面を挟んで、その間隔をマイクロメータやダイヤルゲージで測定する。シート材の表面に直接接触する必要があるので、シート材が連続的に生産されていたり、表面に流動状態の塗工被膜が存在するような場合には測定が困難である。光学的な方法では、光がシート材を透過する際の吸収量が厚みに対応することを利用する。このような方法は、シート材を連続的に生産するような場合に特に適している。しかし、光の吸収量はシート材の材質によって異なり、材料毎に較正データを用意しなければならない。
【０００３】
シート材料の厚み測定に、超音波を利用することも考えられる。境界のある流体についての理論上、「板の固有音響抵抗が、周囲媒質のよりも十分大きく、かつ板が十分薄い場合」、「薄板の透過率は、周波数一定であれば、板の質量により決まり、材質には依存しないことになる。」（たとえば、非特許文献１参照。）からである。
【０００４】
シート材料の厚みを超音波で測定する場合、大気中に超音波を出力し、そのエネルギで薄いフィルムなどのシート材料を振動させる。この振動がシート材料の超音波を受ける側と反対側の大気を伝わって、超音波振動子などを振動させ、電気信号に変換されて受信信号となる。
【０００５】
【非特許文献１】超音波便覧編集委員会編「超音波便覧」丸善株式会社、平成１１年８月３０日発行、ｐ．４７
【発明の開示】
【発明が解決しようとする課題】
【０００６】
超音波を利用する測定では、超音波が大気中などの周囲の流体の媒質中を伝搬する波動であることの影響を強く受ける。大気中での音速は３３０〜３５０ｍ／ｓ程度であり、超音波の周波数を２０ｋ〜１００ｋＨｚ程度とすれば、波長は３．３〜１７．５ｍｍ程度となる。超音波の媒質中へ出力や媒質中を伝搬する振動の受信には、超音波振動子が利用される。超音波を出力する超音波振動子とシート材との間の送信距離や、振動を受信する超音波振動子とシート材との間の受信距離は、定在波の位相に関連する。
【０００７】
超音波の出力は、超音波振動子を駆動する電気的出力の制御で一定に保つことができる。超音波振動子とシート材との送信距離や受信距離は、機械的に超音波振動子を保持して、一定に保つことができる。しかしながら、温度、湿度、気圧、気体の成分などの周囲の環境が変動すると、音速も変動し、超音波振動子が配置される位置での定在波の位相が変化して、最終的な超音波の受信信号の強度も変動してしまう。フィルムなどのシート材について厚みを測定する環境は、温度、湿度、気圧、気体の成分など、ある程度は変動を抑えることができ、たとえば温度は常温付近とすることができる。しかしながら、環境の変化を完全に生じないようにすることは不可能であり、環境の変化を小さくすることにもコストがかかる。したがって、温度などの周囲の環境の変化があっても、測定精度に影響を受けにくい超音波厚み測定が要望される。
【０００８】
本発明の目的は、周囲の環境の変化の影響を受けにくい超音波厚み測定方法および装置を提供することである。
【課題を解決するための手段】
【０００９】
本発明は、シート状の対象物の一方の表面側に向けて超音波を送信し、他方の表面側からの超音波を受信し、受信強度に基づいて厚みを測定する超音波厚み測定方法において、
送信出力を一定に保ちながら、超音波の送信距離と受信距離とのうちの少なくとも一方を、受信強度が極大となるように調整して、
調整された送信距離および受信距離で、対象物の厚みを測定することを特徴とする超音波厚み測定方法である。
【００１０】
本発明に従えば、シート状の対象物の一方の表面側に向けて超音波を送信し、他方の表面側からの超音波を受信する。シート材などの薄板の透過率は、周波数一定であれば、板の質量により決まり、材質には依存しないことになる。シート材の質量は、密度が均一であれば厚みに比例するので、超音波の受信強度は、シート材の厚みに基づいて変化し、受信強度から厚みを測定することができる。送信出力を一定に保ちながら、超音波の送信距離と受信距離とのうちの少なくとも一方を、受信強度が極大となるように調整するので、送信距離と受信距離とを、調整時の温度での定在波との位相関係が最適な状態に調整することができる。測定出力に対する環境の影響は、温度が最も大きく、二次曲線で近似することができることが判明している。調整直後の状態では、温度変化による受信強度の変化は、近似される二次曲線のピーク付近で生じるようになる。調整された送信距離および受信距離で、対象物の厚みを測定するので、温度変化に対する受信強度の変化を表す曲線上での傾斜角の絶対値が小さい範囲となって、周囲の環境の変化の中で最も測定出力に対する影響が大きくなる温度変化があっても、その温度変化の影響を受けにくくすることができる。
【００１１】
さらに本発明は、シート状の対象物の厚みを測定する超音波厚み測定装置において、
該対象物の一方の表面側に向けて超音波を送信する送信側変換器を保持し、該一方側表面と該送信側変換器との間の送信距離を調整可能な送信手段と、
該対象物の他方の表面側からの超音波を受信する受信側変換器を保持し、該他方側表面と該受信側変換器との間の受信距離を調整可能な受信手段と、
送信手段および受信手段が臨む該対象物の表面の位置を移動可能な移動手段と、
送信手段および受信手段を制御して、送信出力を一定に保ちながら、送信手段による超音波の送信距離、および受信手段による受信距離を、受信強度が極大となるようにそれぞれ調整し、移動手段を制御して、調整された送信距離および受信距離で、送信手段および受信手段が臨む対象物の表面の位置を移動させて、対象物の厚みを測定するように制御する制御手段とを、
含むことを特徴とする超音波厚み測定装置である。
【００１２】
本発明に従えば、シート状の対象物の厚みを測定する超音波厚み測定装置は、送信手段と、受信手段と、移動手段と、制御手段とを含む。送信手段は、対象物の一方の表面側に向けて超音波を送信する送信側変換器を保持し、一方側表面と送信側変換器との間の送信距離を調整可能である。受信手段は、対象物の他方の表面側からの超音波を受信する受信側変換器を保持し、他方側表面と受信側変換器との間の受信距離を調整可能である。移動手段は、送信手段および受信手段が臨む対象物の表面の位置を移動可能であるので、対象物の厚みを測定する位置を、表面に沿って変えることができる。制御手段は、送信手段および受信手段を制御して、送信出力を一定に保ちながら、送信手段による超音波の送信距離、および受信手段による受信距離を、受信強度が極大となるようにそれぞれ調整するので、送信距離と受信距離とを、調整時の温度での定在波との位相関係が最適な状態に調整することができる。測定出力に対する環境の影響は、温度が最も大きく、二次曲線で近似することができることが判明しているので、調整直後の状態では、温度変化による受信強度の変化は、近似される二次曲線のピーク付近で生じるようになる。制御手段は、移動手段を制御して、調整された送信距離および受信距離で、送信手段および受信手段が臨む対象物の表面の位置を移動させて、対象物の厚みを測定するように制御するので、たとえば送信距離および受信距離の調整で基準の厚み部分による較正も行い、対象物の表面に沿って走査しながら較正された基準の厚みに基づく、対象物の厚み測定を行うことができる。
【発明の効果】
【００１３】
本発明によれば、シート状の対象物の一方の表面側に向けて超音波を送信し、他方の表面側からの超音波を受信する厚み測定の際に、送信出力を一定に保ちながら、超音波の送信距離と受信距離とのうちの少なくとも一方を、受信強度が極大となるように調整するので、周囲の環境の変化の影響を受けにくい超音波厚み測定を行うことができる。
【００１４】
さらに本発明によれば、シート状の対象物の厚みを超音波で測定する際に大きな影響を与える温度の変化に関して、受信強度の変化は、近似される二次曲線のピーク付近で生じるようになり、温度などの周囲の環境の変化の影響を受けにくい超音波厚み測定を行うことができる。送信距離および受信距離の調整で基準の厚み部分による較正も行うようにすれば、対象物の表面に沿って走査しながら較正された基準の厚みに基づく、対象物の厚み測定を行うことができる。
【発明を実施するための最良の形態】
【００１５】
図１は、本発明の実施の一形態で、シート材の厚みに対応する受信強度と温度との関係の一例を示す。本件発明者は、受信強度と温度との関係が、二次曲線で近似可能であることを見出している。後述するように、送信距離と受信距離とを、較正時の温度Ｔ０がたとば２５℃で、それぞれ極大になるように調整すると、温度の変化に対しても調整時の温度Ｔ０で極大となるように調整することができる。すなわち、シート状の対象物の一方の表面側に向けて超音波を送信し、他方の表面側からの超音波を受信し、受信強度に基づいて厚みを測定する際に、送信出力を一定に保ちながら、超音波の送信距離と受信距離とを、受信強度が極大となるように調整すれば、温度の変化に対しても、調整時の温度Ｔ０で受信強度は極大となる。温度Ｔが調整時の温度Ｔ０から変化するときの受信強度Ｖの変化を表す曲線は、調整時の受信強度をＶ０とし、ａを正の定数として、次の（１）式のような二次式で示すことができる。
【００１６】
【数１】
2005249486.tif 000003
【００１７】
この曲線上での接線の傾斜は受信強度の温度変化率を表す。すなわち、温度変化率は、（１）式を微分して、次の（２）式で表すことができる。
【００１８】
【数２】
2005249486.tif 000004
【００１９】
（２）式は、温度変化率は、調整時の温度Ｔ０付近では小さく、調整時の温度Ｔ０からの違いが大きくなるほど、絶対値が増大することが判る。また、調整時の温度Ｔ０が常温付近であり、厚みの測定を常温付近で行えば、常温付近の範囲内、たとえば２５±２℃程度の範囲内では、受信強度の変化を抑えることが可能であることも判る。なお、シート材は合成樹脂のフィルムであり、厚みは約１２μｍである。
【００２０】
図２は、本発明の実施の一形態としての超音波厚み測定装置１の概略的な電気的構成を示す。超音波厚み測定装置１は、シート材、たとえば数μｍ〜数１００μｍ程度の厚みの合成樹脂製のフィルム２の厚みを、非破壊的かつ連続的に測定するために用いられる。超音波は、フィルム２の一方表面側に臨む送信手段３から送信されてフィルム２を振動させる。フィルム２の振動によって発生する超音波は、フィルム２の他方側の表面に臨む受信手段４によって受信される。送信手段３および受信手段４は、移動手段５によって、フィルム２の表面に平行な方向に移動可能である。送信手段３、受信手段４および移動手段５は、制御手段６による制御で、フィルム２の厚みを自動的、かつ連続的に測定可能である。フィルム２は、入力側ローラ７から巻戻されて送信手段３と受信手段４との間に通され、出力側ローラ８に巻取られる。移動手段５による移動を、フィルム２が入力側ローラ７から出力側ローラ８に移動する方向と直交する方向に往復するように行わせれば、フィルム２の表面に対して、ジグザグ状に厚みを測定することができる。
【００２１】
厚みの測定は、フィルム２に対する超音波の透過率が厚さに対応していることを利用して行われる。前述の非特許文献１によれば、薄板の固有音響抵抗が周囲媒質の音響抵抗よりも十分に大きく、かつ厚さが十分に薄い場合、透過率をｔ、超音波の角周波数をω、単位面積当りの薄板の質量をＭ、周囲媒質の密度をρ、周囲媒質の音速をｃとすると、次の（３）式の関係があるとされている。
【００２２】
【数３】
2005249486.tif 000005
【００２３】
薄板がフィルム２の場合、柔軟で軽量ではあっても固体であり、大気中では、周囲の空気の音響抵抗に比較して固有音響抵抗は十分に大きいと考えられる。フィルム２の密度は均一とみなすことができるので、質量Ｍは厚みに対応するはずである。したがって、フィルム２に対する超音波の透過率Ｔは、フィルム２の厚みの２乗に反比例する。送信手段３から一定の強度で超音波を送信すれば、受信手段４で受信する超音波の受信強度は、フィルム２の透過率ｔの影響を受け、透過率ｔは厚みの２乗に反比例する。フィルム２の近傍に厚み較正用試料９を配置しておき、送信手段３および受信手段４の間で厚み測定を行えば、校正用の標準厚みとして測定することができる。フィルム２の厚みは、移動手段５によって、送信手段３および受信手段４をフィルム２の表面を臨む位置に移動させて厚み測定を行い、得られる受信強度と、厚み較正用試料９の厚みを測定して得られる受信強度とを比較して求めることができる。厚み較正用試料９の厚みは、たとえば接触式の厚み計などで測定しておく。このような厚み計は、テーブル上に試料を載置し、テーブル上を昇降変位する針が０．００９８Ｎ（１ｇｆ）程度の抵抗を受けると停止し、０．０１μｍ程度の分解能で機械的に厚みを測定可能である。
【００２４】
送信手段３には、送信側変換器１０、発信回路１１、送り機構１２およびモータ１３が含まれる。送信側変換器１０は、ＰＺＴなどの圧電材料や、磁歪材料などによって形成される超音波振動子を含み、発信回路１１から供給される電気エネルギを超音波の振動エネルギに変換する。送り機構１２は、送信側変換器１０と測定対象物としてのフィルム２の表面との間の距離である送信距離を調整可能にするために設けられる。送り機構１２の構成は、光学ステージなど、精密な送りを必要とする場合に使用されるものと同様にすればよい。マイクロメータヘッドなどを利用することもできる。送り機構１２に対する駆動は、モータ１３によって行う。モータ１３としては、たとえばステッピングモータを使用することができ、駆動するパルス数で送り機構１２によって、送信側変換器１０とフィルム２の一方表面との間の送信距離を調整することができる。モータ１３として、サーボモータを使用することもできる。ただし、サーボモータを使用するには、回転出力状態のフィードバック機構が必要となる。
【００２５】
受信手段４には、受信側変換器２０、受信回路２１、送り機構２２およびモータ２３が含まれる。送り機構２２およびモータ２３については、送信手段３の送り機構１２およびモータ１３とそれぞれ同等である。受信側変換器２０も、送信側変換器１０と同様に、圧電材料や磁歪材料などで形成される超音波振動子を有し、受信する超音波を電気信号に変換する。受信側変換器２０とフィルム２の他方表面との間の受信距離は、モータ２３の駆動によって調整することができる。受信回路２１は、受信側変換器１１からの受信信号を選択的に増幅して、受信強度を求め、受信強度からフィルム２の厚みを、厚み較正用試料９の厚みを基準とする相対的なものとして算出することができる。
【００２６】
超音波厚さ測定装置１は、全体を支えるフレーム３０を有する。フレーム３０には、移動手段５が送信手段３および受信手段４を移動させる際に、フィルム２の幅方向に沿って往復移動可能に案内するガイド３１，３２がそれぞれ設けられる。移動手段５の駆動用のモータ３３も設けられ、モータ３３は、送信手段３および受信手段４のモータ１３，２３とともに制御手段６によって制御される。
【００２７】
図３は、図２の超音波厚み測定装置１による厚み測定で、図１に示すような受信強度の極大値が得られる送信距離および受信距離と、温度との関係の例を示す。フィルム２は、図１と同様、約１２μｍの厚みを有する。送信側変換器１０および受信側変換器２０として、４０ｋＨｚ用の超音波振動子として製造されているものを使用している。温度が２５℃での大気中の音速は、３４６ｍ／ｓであるので、超音波の波長は８．６５ｍｍ程度である。したがって、フィルム２の表面から約１２ｍｍすなわち３／２波長、約１６ｍｍすなわち２波長、約２１ｍｍすなわち５／２波長のように、波長の１／２となる距離で最適な測定が可能であることが判る。この最適位置に送信距離および受信距離を設定すれば、図１から判るように、温度変化の影響を受けにくくすることができる。
【００２８】
図４は、図２の超音波厚み測定装置１による厚み測定で、湿度が受信強度に与える影響を示す。フィルム２は、図１と同様に、約１２μｍの厚みを有する。恒温恒湿槽の関係上、常温よりも高温側でしか測定していないけれども、常温に近い３０℃や３５℃での相対湿度の変化に伴う受信強度の変化は小さいことが判る。超音波厚み測定装置１を使用するような環境で、温度が常温付近に保たれていれば、相対湿度が大きく変動することは考えられず、湿度の変化よりも温度の変化の影響が大きいことが判る。
【００２９】
図５は、図２の超音波厚み測定装置１による厚み測定で、気圧が受信強度に与える影響を示す。フィルム２は、図１と同様に、約１２μｍの厚みを有する。気圧の変化の影響も、温度の変化の影響に比較して小さいことが判る。
【００３０】
図６は、図２の超音波厚み測定装置１の外観構成を、図２で入力側ローラ７から出力側ローラ８にフィルム２が移動する方向を紙面に垂直となるような向きで、簡略化して示す。ガイド３１，３２の長手方向がフィルム２の幅方向となる。ガイド３１，３２は、フィルム２の表面の上方、および下方にそれぞれ設けられ、上下からフィルム２の厚みを測定する。厚み較正用試料９は、たとえばフィルム２の幅方向の一方側で、ガイド３１，３２の原点位置に配置する。
【００３１】
図７は、図６の超音波厚み測定装置１を用いて、フィルム２の厚みを連続的に測定する際の制御手段６の制御手順を概略的に示す。ステップｓ１での電源投入で、制御手段６による制御手順が開始される。ステップｓ２では、測定する環境の温度を測定する。ステップｓ３では、移動手段５によって送信手段３および受信手段４をガイド３１，３２の原点位置に移動させる。原点位置にはたとえば原点検出スイッチなどが設けられ、送信手段３および受信手段４が原点位置にあるか否かを検出可能である。原点位置には、厚み較正用試料９が測定可能な状態で保持されている。
【００３２】
ステップｓ４では、送信距離および受信距離の調整を行う。まず、ステップｓ２で測定した温度について、図３に示すような対応関係に基づき、送信手段３および受信手段４の位置を初期設定するように、モータ１３，２３をそれぞれ駆動する。次に、モータ１３，２３の一方を駆動して、初期設定した位置の周辺で、微動させながら受信強度が極大となる位置を求めて、位置を調整する。次にモータ１３，２３の他方を同様に駆動して、受信強度が極大となる位置を求めて、位置を調整する。
【００３３】
ステップｓ５、ステップｓ６およびステップｓ７では、フィルム２に対する厚み測定を、フィルム２の表面に対して走査しながら繰返して行う。ステップｓ５では、移動手段５によって送信手段３および受信手段４を測定位置まで移動させ、ステップｓ６で厚み測定を行う。ステップｓ７では、測定終了か否かを判断し、測定終了でなければステップｓ５に戻り、測定終了であれば制御手順を終了する。
【００３４】
すなわち、シート状の対象物としてのフィルム２などの厚みを測定する超音波厚み測定装置１は、送信手段３、受信手段４、移動手段５および制御手段６を含む。送信手段３は、対象物の一方の表面側に向けて超音波を送信する送信側変換器１０を保持し、その一方側表面と送信側変換器１０との間の送信距離を調整可能である。受信手段４は、対象物の他方の表面側からの超音波を受信する受信側変換器２０を保持し、その他方側表面と受信側変換器２０との間の受信距離を調整可能である。移動手段５は、送信手段３および受信手段４が臨む対象物の表面の位置を移動可能である。制御手段６は、送信手段３および受信手段４を制御して、送信出力を一定に保ちながら、送信手段３による超音波の送信距離、および受信手段４による受信距離を、受信強度が極大となるようにそれぞれ調整し、移動手段５を制御して、調整された送信距離および受信距離で、送信手段３および受信手段４が臨む対象物の表面の位置を移動させて、対象物の厚みを測定するように制御する。
【００３５】
シート材などの薄板の透過率は、周波数一定であれば、板の質量により決まり、材質には依存しないことが知られている。シート材の質量は、密度が均一であれば厚みに比例するので、超音波の受信強度は、シート材の厚みに基づいて変化するので、厚みが既知の厚み較正用試料９に対する受信強度と、フィルム２に対する受信強度とを比較すれば、受信強度から厚みを測定することができる。送信出力を一定に保ちながら、超音波の送信距離と受信距離とのうちの少なくとも一方を、受信強度が極大となるように調整するので、送信距離と受信距離とを、調整時の温度での定在波との位相関係が最適な状態に調整することができる。測定出力に対する環境の影響は、温度が最も大きく、二次曲線で近似することができることが判明している。調整直後の状態では、温度変化による受信強度の変化は、近似される二次曲線のピーク付近で生じるようになる。調整された送信距離および受信距離で、対象物の厚みを測定するので、温度変化に対する受信強度の変化を表す曲線上での傾斜角の絶対値が小さい範囲となって、周囲の環境の変化の中で最も測定出力に対する影響が大きくなる温度変化があっても、その温度変化の影響を受けにくくすることができる。
【００３６】
なお、厚み較正用試料９を用いることによって、フィルム２などのシート材の厚みの絶対値を受信強度の比較に基づいて測定することができるけれども、シート材の厚みの変動を把握するような用途であれば、シート材のみ走査しながら測定すればよい。
【００３７】
さらに、厚みの測定は、シート材自体の厚みばかりではなく、シート材の表面に塗布などによって形成される被膜などに対しても行うことができる。被膜形成前のシート材の厚みを把握しておき、被膜について基準となる試料を作成して較正用に用いれば、被膜の厚みについて、変動を測定することができる。このような被膜としては、たとえば、磁気テープなどの磁性体層、接着フィルムなどの粘着剤や接着剤の層などを対象とすることができる。シート材としては、合成樹脂製のフィルム２ばかりではなく、紙や布、金属箔など、種々の材料に対して厚み測定を行うことができる。
【図面の簡単な説明】
【００３８】
【図１】本発明の実施の一形態で、シート材の厚みに対応する受信強度と温度との関係の一例を示すグラフである。
【図２】本発明の実施の一形態としての超音波厚み測定装置１の概略的な電気的構成を示すブロック図である。
【図３】図２の超音波厚み測定装置１による厚み測定で、図１に示すような受信強度の極大値が得られる送信距離および受信距離と、温度との関係の例を示すグラフである。
【図４】図２の超音波厚み測定装置１による厚み測定で、湿度が受信強度に与える影響を示すグラフである。
【図５】図２の超音波厚み測定装置１による厚み測定で、気圧が受信強度に与える影響を示すグラフである。
【図６】図２の超音波厚み測定装置１の外観構成を、図２で入力側ローラ７から出力側ローラ８にフィルム２が移動する方向を紙面に垂直となるような向きで、簡略化して示す正面図である。
【図７】図６の超音波厚み測定装置１を用いて、フィルム２の厚みを連続的に測定する際の制御手段６の制御手順を概略的に示すフローチャートである。
【符号の説明】
【００３９】
１  超音波厚み測定装置
２  フィルム
３  送信手段
４  受信手段
５  移動手段
６  制御手段
１０  送信側変換器
１２，２２  送り機構
１３，２３，３３  モータ
２０  受信側変換器
【図１】
2005249486.tif 000006
【図２】
2005249486.tif 000007
【図３】
2005249486.tif 000008
【図４】
2005249486.tif 000009
【図５】
2005249486.tif 000010
【図６】
2005249486.tif 000011
【図７】
2005249486.tif 000012